(57)【特許請求の範囲】
【請求項１】
通信ケーブルと、
上記通信ケーブルを覆う第１導電性被覆層と、
上記第１導電性被覆層を覆う第２導電性被覆層と、
上記第１導電性被覆層と第２導電性被覆層との間に位置し、第１導電性被覆層と第２導電性被覆層とを絶縁するための絶縁層と、
バッテリと、
接続される外部機器から電力供給がある場合、当該外部機器から供給される電力を用いて上記バッテリを充電するバッテリ制御部と、
上記外部機器から電力供給がある場合には当該外部機器から供給される電力を用いて、上記外部機器から電力供給がない場合には上記バッテリから供給される電力を用いて、上記第１導電性被覆層と上記第２導電性被覆層との短絡による異常を検出する検出部とを備えることを特徴とするワイヤハーネス。
【請求項２】
上記通信ケーブルが複数本あり、そのうちの一本の通信ケーブルは、上記ワイヤハーネスが接続される一方の外部機器から他方の外部機器に電力供給する電力供給用ケーブルであり、
上記バッテリ制御部は、上記電力供給用ケーブルからの電力を用いて上記バッテリを充電し、
上記検出部は、上記電力供給用ケーブルにより一方の外部機器から他方の外部機器に電力供給されているとき、当該電力供給用ケーブルから電力を受けて動作し、上記電力供給用ケーブルにより一方の外部機器から他方の外部機器に電力供給されていないとき、上記バッテリから供給される電力を受けて動作することを特徴とする請求項１に記載のワイヤハーネス。
【請求項３】
上記通信ケーブルの一方の端において、上記第１導電性被覆層と第２導電性被覆層との間で直列接続されるように配置された抵抗器を備え、
上記検出部は、上記通信ケーブルの他方の端に設けられ、上記第１導電性被覆層および第２導電性被覆層の一方に所定電圧を印加し、上記第１導電性被覆層および第２導電性被覆層の他方の電圧である検出用電圧に基づいて、上記短絡による異常を検出することを特徴とする請求項１または２に記載のワイヤハーネス。
【請求項４】
上記検出部は、さらに、上記検出用電圧に基づいて、上記第１導電性被覆層および第２導電性被覆層の少なくとも一方の切断による異常を検出することを特徴とする請求項３に記載のワイヤハーネス。
【請求項５】
上記検出部により異常が検出された場合に、外部機器に対して異常通知を行う異常出力制御部を備えることを特徴とする請求項１から４の何れか１項に記載のワイヤハーネス。
【請求項６】
上記異常出力制御部は、上記通信ケーブルの少なくとも１つの通信を遮断することにより上記異常通知を行うことを特徴とする請求項５に記載のワイヤハーネス。
【請求項７】
記憶部と、
上記検出部により異常が検出された場合に、異常があったことを示す異常情報を上記記憶部に格納する異常情報格納処理部とを備え、
上記異常出力制御部は、上記記憶部が異常情報を記憶している場合、外部機器に対して異常通知を行うことを特徴とする請求項５または６に記載のワイヤハーネス。
【請求項８】
上記検出部は、上記検出用電圧と第１基準電圧とを比較する第１電圧比較器を備えており、
上記第１基準電圧として、上記所定電圧と、当該所定電圧から上記抵抗器の電圧降下分だけ低い電圧との間の電圧が設定されており、
上記検出部は、上記第１電圧比較器により検出用電圧が第１基準電圧よりも高いと判定されたときに、上記短絡があったものと判断することを特徴とする請求項３に記載のワイヤハーネス。
【請求項９】
上記検出部は、上記検出用電圧と第２基準電圧とを比較する第２電圧比較器を備えており、
上記第２基準電圧として、上記所定電圧から上記抵抗器の電圧降下分だけ低い電圧よりもさらに低い電圧が設定されており、
上記検出部は、上記第２電圧比較器により検出用電圧が第２基準電圧よりも低いと判定されたときに、上記切断があったものと判断することを特徴とする請求項４に記載のワイヤハーネス。
【請求項１０】
請求項１に記載のワイヤハーネスと、
上記ワイヤハーネスが接続される外部機器とを備えた異常検出システムであって、
上記ワイヤハーネスは、上記通信ケーブルの一方の端において、上記第１導電性被覆層に接続された端子および上記第２導電性被覆層に接続された端子の２つの端子を含み、上記外部機器と接続されるハーネス側コネクタを備え、
上記外部機器は、上記ハーネス側コネクタと接続されたときに、上記２つの端子の間に直列接続されるように配置された抵抗器を含む外部機器側コネクタを備え、
上記検出部は、上記通信ケーブルの他方の端に設けられ、上記第１導電性被覆層および第２導電性被覆層の一方に所定電圧を印加し、上記第１導電性被覆層および第２導電性被覆層の他方の電圧である検出用電圧に基づいて、上記短絡による異常を検出するとともに、上記第１導電性被覆層および第２導電性被覆層のうちの少なくとも１つの切断による異常、および、上記外部機器側コネクタから上記ハーネス側コネクタの抜けによる異常を検出することを特徴とする異常検出システム。
【請求項１１】
請求項１に記載のワイヤハーネスと、
上記ワイヤハーネスが接続される外部機器とを備えた異常検出システムであって、
上記ワイヤハーネスは、
上記通信ケーブルを覆う被覆層として、上記第１導電性被覆層および第２導電性被覆層と絶縁された第３導電性被覆層と、上記第１導電性被覆層、第２導電性被覆層および第３導電性被覆層と絶縁された第４導電性被覆層とをさらに備えるとともに、
上記通信ケーブルの一方の端に設けられ、上記第３導電性被覆層に接続された端子および上記第４導電性被覆層に接続された端子の２つの端子を含み、上記外部機器と接続されるハーネス側コネクタと、
上記通信ケーブルの他方の端において、上記第１導電性被覆層と上記第４導電性被覆層とを導通させる導線、および、上記第２導電性被覆層と上記第３導電性被覆層とを導通させる導線とを備え、
上記外部機器は、上記ハーネス側コネクタと接続されたときに、上記２つの端子の間に直列接続されるように配置された抵抗器を含む外部機器側コネクタを備え、
上記ハーネス側コネクタは上記検出部を備え、
上記検出部は、上記第１導電性被覆層および第２導電性被覆層の一方に所定電圧を印加し、上記第１導電性被覆層および第２導電性被覆層の他方の電圧である検出用電圧に基づいて、上記短絡による異常を検出するとともに、上記第１から第４導電性被覆層のうちの少なくとも１つの切断による異常、および、上記外部機器側コネクタから上記ハーネス側コネクタの抜けによる異常を検出することを特徴とする異常検出システム。
【発明の詳細な説明】
【技術分野】
【０００１】
本発明は、外部機器に接続され、外部機器間の情報通信に利用されるワイヤハーネスに関するものである。
【背景技術】
【０００２】
近年、情報通信技術の発展に伴い、各種の機器がワイヤハーネスを用いて通信接続されている。このようなワイヤハーネスで通信される情報の中には一定の価値を有するものも含まれている。そのため、ワイヤハーネスを許可なく細工して、通信される情報の書き換えや不正な情報の発信を行うことにより、上記の一定の価値が不正に取得されることがあり得る。
【０００３】
例えば、パチンコホールでは遊技機（パチンコ機）と台間機とがワイヤハーネスにより接続されている。そして、遊技球数や金銭価値を示す情報が記憶されたカードを台間機に挿入することにより、台間機から遊技機に通信された情報に基づいて遊技が実施される。また、最近、特許文献１に記載のような、遊技機内に所定数の球を封入し、封入されている球（封入球）を循環利用する封入式遊技機（封入式パチンコ機）が開発されている。封入式遊技機では、遊技によって獲得した球数を示す情報を遊技機から台間機に送信し当該情報をカードに記録することで、遊技者は、当該カードを用いて獲得した球数を精算し、景品を得るようになっている。このように、遊技機と台間機とを接続するワイヤハーネスでは、一定の価値を有する球数を示す情報が通信される。そのため、ワイヤハーネスを細工して遊技球や金銭価値を示す情報を不正に変更する不正行為が問題となる。
【０００４】
そこで、特許文献２には、ワイヤハーネス側のコネクタが接続される遊技機側のコネクタに押圧スイッチを設け、当該押圧スイッチのオン／オフを検出することによりワイヤハーネスが正常に接続されているか否かを検知する技術が開示されている。これにより、ワイヤハーネスが不正に交換されてしまうことを防止している。また、特許文献２には、ワイヤハーネスが接続される遊技機がバッテリを有しており、当該バッテリの電力を用いて押圧スイッチのオン／オフを検知することが開示されている。これにより、営業時間外に不正行為者が遊技店に侵入し、ワイヤハーネスを交換したとしても、損害の発生前に不正行為を発見できる。
【先行技術文献】
【特許文献】
【０００５】
【特許文献１】特開２００９−１０１２２４号公報（２００９年５月１４日公開）
【特許文献２】特開２００８−３６３１９号公報（２００８年２月２１日公開）
【発明の概要】
【発明が解決しようとする課題】
【０００６】
しかしながら、特許文献２の技術では、ワイヤハーネスを遊技機に接続した状態でケーブルの途中に不正部品などを取り付けるような不正行為については検出できない。
【０００７】
また、ワイヤハーネスが接続される外部機器である遊技機側にバッテリを設けるため、遊技機を大幅に改造する必要がある。しかしながら、遊技機を改造するためには行政機関の認可が必要であり面倒である。
【０００８】
本発明は、上記課題を解決するためになされたものであり、接続される外部機器の大幅な改造を必要としないでケーブルに対する不正行為を容易に検出することが可能なワイヤハーネスおよび異常検出システムを提供することを目的とする。
【課題を解決するための手段】
【０００９】
上記の課題を解決するために、本発明のワイヤハーネスは、通信ケーブルと、上記通信ケーブルを覆う第１導電性被覆層と、上記第１導電性被覆層を覆う第２導電性被覆層と、上記第１導電性被覆層と第２導電性被覆層との間に位置し、第１導電性被覆層と第２導電性被覆層とを絶縁するための絶縁層と、バッテリと、接続される外部機器から電力供給がある場合、当該外部機器から供給される電力を用いて上記バッテリを充電するバッテリ制御部と、上記外部機器から電力供給がある場合には当該外部機器から供給される電力を用いて、上記外部機器から電力供給がない場合には上記バッテリから供給される電力を用いて、上記第１導電性被覆層と上記第２導電性被覆層との短絡による異常を検出する検出部とを備えることを特徴とする。
【００１０】
例えば、金属製の不正治具をワイヤハーネスに差し込み、内部の通信ケーブルに対して何らかの不正を行った場合、不正治具によって第１導電性被覆層と第２導電性被覆層とが短絡することとなる。上記の構成によれば、不正行為が実施されないときには、絶縁層により第１導電性被覆層と第２導電性被覆層とは短絡していない。そのため、検出部により第１導電性被覆層と第２導電性被覆層との短絡を検出することにより、金属製の不正治具の差込等による不正行為を検出することができる。
【００１１】
また、検出部は、外部機器から電力供給がある場合には当該外部機器から供給される電力を用い、外部機器から電力供給がない場合にはワイヤハーネスが備えるバッテリから供給される電力を用いる。これにより、外部機器からの電力供給にかかわらず常に不正行為を監視することができる。また、外部機器にバッテリを備える必要がなく、外部機器の大幅な改造が不要である。
【００１２】
以上から、接続される外部機器の大幅な改造を必要としないでケーブルに対する不正行為を容易に検出することが可能なワイヤハーネスを提供することができる。
【００１３】
さらに、本発明のワイヤハーネスは、上記通信ケーブルが複数本あり、そのうちの一本の通信ケーブルは、上記ワイヤハーネスが接続される一方の外部機器から他方の外部機器に電力供給する電力供給用ケーブルであり、上記バッテリ制御部は、上記電力供給用ケーブルからの電力を用いて上記バッテリを充電し、上記検出部は、上記電力供給用ケーブルにより一方の外部機器から他方の外部機器に電力供給されているとき、当該電力供給用ケーブルから電力を受けて動作し、上記電力供給用ケーブルにより一方の外部機器から他方の外部機器に電力供給されていないとき、上記バッテリから供給される電力を受けて動作することが好ましい。
【００１４】
上記の構成によれば、検出部を動作させるための専用の電源線を設ける必要がなく、ワイヤハーネスの構成を簡略化できる。
【００１５】
さらに、本発明のワイヤハーネスは、上記通信ケーブルの一方の端において、上記第１導電性被覆層と第２導電性被覆層との間で直列接続されるように配置された抵抗器を備え、上記検出部は、上記通信ケーブルの他方の端に設けられ、上記第１導電性被覆層および第２導電性被覆層の一方に所定電圧を印加し、上記第１導電性被覆層および第２導電性被覆層の他方の電圧である検出用電圧に基づいて、上記短絡による異常を検出することが好ましい。
【００１６】
上記の構成によれば、第１導電性被覆層と第２導電性被覆層とが短絡していない場合には、検出用電圧は、所定電圧から抵抗器による電圧降下の分だけ低い電圧となる。一方、第１導電性被覆層と第２導電性被覆層とが短絡している場合には、検出用電圧は所定電圧と同じになる。そのため、検出用電圧を確認することで、容易に第１導電性被覆層と第２導電性被覆層との短絡の有無を確認することができる。
【００１７】
例えば、上記検出部は、上記検出用電圧と第１基準電圧とを比較する第１電圧比較器を備えており、上記第１基準電圧として、上記所定電圧と、当該所定電圧から上記抵抗器の電圧降下分だけ低い電圧との間の電圧が設定されており、上記検出部は、上記第１電圧比較器により検出用電圧が第１基準電圧よりも高いと判定されたときに、上記短絡があったものと判断すればよい。
【００１８】
また、本発明のワイヤハーネスにおいて、上記検出部は、さらに、上記検出用電圧に基づいて、上記第１導電性被覆層および第２導電性被覆層の少なくとも一方の切断による異常を検出することが好ましい。
【００１９】
ワイヤハーネスに対する不正行為として、第１導電性被覆層および第２導電性被覆層の少なくとも一方を切断したり、ワイヤハーネスを通信ケーブルごと切断したりして、内部の通信ケーブルに何らかの細工を行うことが考えられる。しかしながら、第１導電性被覆層および第２導電性被覆層の少なくとも一方が切断された場合、検出用電圧はほぼ０となる。そのため、検出用電圧を確認することで、このような第１導電性被覆層および第２導電性被覆層の少なくとも一方を切断する不正行為を検出することができる。
【００２０】
例えば、上記検出部は、上記検出用電圧と第２基準電圧とを比較する第２電圧比較器を備えており、上記第２基準電圧として、上記所定電圧から上記抵抗器の電圧降下分だけ低い電圧よりもさらに低い電圧が設定されており、上記検出部は、上記第２電圧比較器により検出用電圧が第２基準電圧よりも低いと判定されたときに、上記切断があったものと判断すればよい。
【００２１】
さらに、本発明のワイヤハーネスは、上記検出部により異常が検出された場合に、外部機器に対して異常通知を行う異常出力制御部を備えることが好ましい。
【００２２】
上記の構成によれば、検出部により異常が検出された場合に外部機器に電源が供給されていると、当該外部機器は、即座にワイヤハーネスの異常を認識することができる。
【００２３】
なお、上記異常出力制御部は、上記通信ケーブルの少なくとも１つの通信を遮断することにより上記異常通知を行ってもよい。
【００２４】
さらに、本発明のワイヤハーネスは、記憶部と、上記検出部により異常が検出された場合に、異常があったことを示す異常情報を上記記憶部に格納する異常情報格納処理部とを備え、上記異常出力制御部は、上記記憶部が異常情報を記憶している場合、外部機器に対して異常通知を行うことが好ましい。
【００２５】
外部機器に電源が供給されていない時間帯にワイヤハーネスに対して不正が行われ、当該時間帯内にワイヤハーネスを元に戻すことが考えられる。しかしながら、このような場合であっても上記の構成によれば、検出部により異常が検出された場合に、異常があったことを示す異常情報が記憶部に格納される。その後、異常出力制御部は、上記記憶部が異常情報を記憶している場合、外部機器に対して異常通知を行う。そのため、外部機器に電源が供給されていない時間帯に不正行為があったとしても、外部機器に電源が供給された後すぐに不正行為があったことを外部機器が把握することができる。
【００２６】
また、本発明の異常検出システムは、上記のワイヤハーネスと、上記ワイヤハーネスが接続される外部機器とを備えた異常検出システムであって、上記ワイヤハーネスは、上記通信ケーブルの一方の端において、上記第１導電性被覆層に接続された端子および上記第２導電性被覆層に接続された端子の２つの端子を含み、上記外部機器と接続されるハーネス側コネクタを備え、上記外部機器は、上記ハーネス側コネクタと接続されたときに、上記２つの端子の間に直列接続されるように配置された抵抗器を含む外部機器側コネクタを備え、上記検出部は、上記通信ケーブルの他方の端に設けられ、上記第１導電性被覆層および第２導電性被覆層の一方に所定電圧を印加し、上記第１導電性被覆層および第２導電性被覆層の他方の電圧である検出用電圧に基づいて、上記短絡による異常を検出するとともに、上記第１導電性被覆層および第２導電性被覆層のうちの少なくとも１つの切断による異常、および、上記外部機器側コネクタから上記ハーネス側コネクタの抜けによる異常を検出することを特徴とする。
【００２７】
上記の構成によれば、金属製の不正治具をワイヤハーネスに差し込む不正行為、第１導電性被覆層および第２導電性被覆層のうちの少なくとも１つを切断する不正行為、および、外部機器側コネクタからハーネス側コネクタを抜く不正行為の何れかを容易に検出することができる。また、外部機器側コネクタに抵抗器を備えるだけでよく、外部機器の大幅な改造が不要である。
【００２８】
また、本発明の異常検出システムは、上記のワイヤハーネスと、上記ワイヤハーネスが接続される外部機器とを備えた異常検出システムであって、上記ワイヤハーネスは、上記通信ケーブルを覆う被覆層として、上記第１導電性被覆層および第２導電性被覆層と絶縁された第３導電性被覆層と、上記第１導電性被覆層、第２導電性被覆層および第３導電性被覆層と絶縁された第４導電性被覆層とをさらに備えるとともに、上記通信ケーブルの一方の端に設けられ、上記第３導電性被覆層に接続された端子および上記第４導電性被覆層に接続された端子の２つの端子を含み、上記外部機器と接続されるハーネス側コネクタと、上記通信ケーブルの他方の端において、上記第１導電性被覆層と上記第４導電性被覆層とを導通させる導線、および、上記第２導電性被覆層と上記第３導電性被覆層とを導通させる導線とを備え、上記外部機器は、上記ハーネス側コネクタと接続されたときに、上記２つの端子の間に直列接続されるように配置された抵抗器を含む外部機器側コネクタを備え、上記ハーネス側コネクタは上記検出部を備え、上記検出部は、上記第１導電性被覆層および第２導電性被覆層の一方に所定電圧を印加し、上記第１導電性被覆層および第２導電性被覆層の他方の電圧である検出用電圧に基づいて、上記短絡による異常を検出するとともに、上記第１から第４導電性被覆層のうちの少なくとも１つの切断による異常、および、上記外部機器側コネクタから上記ハーネス側コネクタの抜けによる異常を検出することを特徴とする。
【００２９】
上記の構成によれば、金属製の不正治具をワイヤハーネスに差し込む不正行為、通信ケーブルを覆う第１から第４導電性被覆層のうちの少なくとも１つを切断する不正行為、および、外部機器側コネクタからハーネス側コネクタを抜く不正行為の何れかを容易に検出することができる。また、外部機器側コネクタに抵抗器を備えるだけでよく、外部機器の大幅な改造が不要である。
【発明の効果】
【００３０】
以上のように、本発明によれば、接続される外部機器の大幅な改造を必要としないでケーブルに対する不正行為を容易に検出することが可能なワイヤハーネスを提供することができる。
【図面の簡単な説明】
【００３１】
【図１】本発明の一実施形態に係るワイヤハーネスに対する不正行為（異常）を検出する異常検出システムの概略構成を示したブロック図である。
【図２】図１に示す異常検出システムが備える遊技機および台間機の裏面図である。
【図３】図２に示す遊技機および台間機の正面図である。
【図４】実施形態１に係るワイヤハーネスの外観を示す図である。
【図５】図４に示すワイヤハーネスが備えるケーブル部の内部を示す図であり、（ａ）は内部層を示す斜視図であり、（ｂ）はケーブル部の端面を示す図である。
【図６】図４に示すワイヤハーネスが備える第１コネクタ部および第２コネクタ部の内部構成を示す図である。
【図７】ワイヤハーネスのケーブル部に金属製の不正治具が差し込まれる不正行為の一例を示す図である。
【図８】ワイヤハーネスが備える第１導電性被覆層および第２導電性被覆層を切断する不正行為の一例を示す図である。
【図９】図６に示す検出部の内部回路を示す図である。
【図１０】図６に示す検出部の処理の流れを示すフローチャートである。
【図１１】図６に示す異常信号処理部の処理の流れを示すフローチャートである。
【図１２】図６に示す異常出力制御部の処理の流れを示すフローチャートである。
【図１３】実施形態２に係るワイヤハーネスが備えるケーブル部の内部を示す図であり、（ａ）は内部層を示す斜視図であり、（ｂ）はケーブル部の端面を示す図である。
【図１４】実施形態２に係るワイヤハーネスが備える第１コネクタ部および第２コネクタ部の内部構成を示す図である。
【図１５】ワイヤハーネスが備える第１導電性被覆層および第２導電性被覆層を切断する不正行為の別の例を示す図である。
【発明を実施するための形態】
【００３２】
〔実施形態１〕
以下、本発明の実施形態について詳細に説明する。図１は、本実施形態のワイヤハーネスに対する不正行為（異常）を検出する異常検出システムの概略構成を示したブロック図である。
【００３３】
異常検出システム１は、遊技機（例えばパチンコ機）に接続されるワイヤハーネスの不正行為（異常）を管理するシステムであり、遊技店（ホール）に設置されるものである。異常検出システム１は、図１に示されるように、複数のワイヤハーネス１０と、複数の遊技機２０と、複数の台間機３０と、台間機管理装置４０と、台間機管理データベース５０と、遊技店管理装置６０と、遊技台管理データベース７０とを備えている。なお、図１では、ワイヤハーネス１０、遊技機２０および台間機３０のそれぞれは４つしか示されていないが、実際には４つよりも多数のワイヤハーネス１０、遊技機２０および台間機３０を有するものとする。
【００３４】
ワイヤハーネス１０は、一対の遊技機２０と台間機３０とを通信接続するためのものである。図２は、遊技機２０および台間機３０の裏面図である。図２に示されるように、ワイヤハーネス１０は、遊技機２０の裏面に設けられた遊技機側コネクタと台間機３０の裏面に設けられた台間機側コネクタとに差し込まれることにより通信接続する。ワイヤハーネス１０は、金属製の不正治具が差し込まれるなどの不正行為を検出する手段を備えている。そして、ワイヤハーネス１０は、不正行為を検出したときに、接続されている遊技機２０および台間機３０に対して異常通知を行う。もしくは、ワイヤハーネス１０は、不正行為を検出したときに遊技機２０および台間機３０に電源が供給されていない場合、異常があったことを記憶しておき、遊技機２０および台間機３０に電源が供給された後に当該遊技機２０および台間機３０に異常通知を行う。ワイヤハーネス１０の詳細については後述する。
【００３５】
台間機３０は、図３に示されるように、対応する遊技機２０に隣接して設置され、紙幣投入口３１およびカード挿入口３２を備えている。なお、図３は、遊技機２０および台間機３０の正面図である。台間機３０は、紙幣投入口３１に投入された紙幣の金銭価値情報や、カード挿入口３２に挿入されたカードに記録された金銭価値情報および持球情報を、ワイヤハーネス１０を介して遊技機２０に送る。これにより、遊技機２０が金銭価値情報や持球情報を表示し、遊技者がこれら情報を基に遊技を開始する。また、台間機３０は、投入された紙幣や対応する遊技機２０からワイヤハーネス１０を介して受けた更新指示に基づいて、カードに記録された金銭価値情報および持球情報の更新処理を行う。例えば、台間機３０は、紙幣投入口３１に投入された紙幣の金銭価値に基づいて、カードの金銭価値情報を更新する。また、遊技機２０において後述する球貸操作が実施された場合、台間機３０は、カードの金銭価値情報で示される金銭価値を減らす更新指示を受ける。また、遊技機２０において後述する球投入操作が実施された場合、台間機３０は、カードの持球情報で示される持球数を減らす更新指示を受ける。また、遊技機２０において後述する持球精算操作が実施された場合、台間機３０は、遊技機２０に残っている遊技可能な球数だけカードの持球情報を増やす更新指示を受ける。なお、台間機３０は、カードのＩＤ（カードＩＤ）と当該カードに記録された情報とを対応付けて台間機管理装置４０に送る。
【００３６】
また、台間機３０は、ワイヤハーネス１０から異常通知を受けると、ワイヤハーネス１０に異常があったことを示す異常通知情報を台間機管理装置４０に送る。
【００３７】
台間機管理装置４０は、異常検出システム１に含まれる全ての台間機３０を管理する装置である。台間機管理装置４０は、各台間機３０において発行したカードに記録された情報（金銭価値情報および待球情報）を、前記カードのカードＩＤと台間機３０のＩＤとを対応付けて台間機管理データベース５０に登録（記録）し、また、各台間機３０において情報が更新される度に、台間機管理データベース５０に登録した情報を更新することで、カードに記録された情報やカードの利用状況を管理している。また、台間機管理装置４０は、台間機３０から異常通知情報を受けると、当該台間機３０のＩＤと異常通知情報とを対応付けて記録するとともに、管理者に対して異常を通知するメッセージを表示する。これにより、遊技店（ホール）の管理者は、ワイヤハーネス１０に異常があったことを認識することができる。
【００３８】
遊技機２０は、内部に所定数の球を封入し、封入されている球（封入球）を循環利用する封入式パチンコ機である。遊技機は、遊技者の操作に応じて封入球を発射させる球発射回路を有している。遊技機２０は、台間機３０に投入された紙幣または台間機３０に挿入されたカードにより遊技を行うことができるように、遊技球ボタン２１、球投入ボタン２２および精算ボタン２３を有している。
【００３９】
遊技者は、遊技球ボタン２１を押すことにより、台間機３０に挿入されているカードに記録されている金銭価値情報に示される金銭価値の一部または全部を代償として、遊技可能な球数を増加する球貸操作を実行する。このとき、遊技機２０は、カードの金銭価値情報で示される金銭価値を減らす更新指示を、ワイヤハーネス１０を介して台間機３０に送信する。これにより、遊技者は、球貸操作により得た球数の遊技球を用いて遊技を行うことができる。
【００４０】
また、遊技者は、球投入ボタン２２を押すことにより、台間機３０に挿入されているカードに記録されている持球情報を代償として、遊技機２０で遊技可能な球数を増加させる球投入操作を実行する。このとき、遊技機２０は、カードの持球情報で示される持球数を減らす更新指示を、ワイヤハーネス１０を介して台間機３０に送信する。これにより、遊技者は、球投入操作により得た球数の遊技球を用いて遊技を行うことができる。
【００４１】
さらに、遊技者は、精算ボタン２３を押すことにより、遊技機２０に残っている遊技可能な球数だけカードに記録されている持球情報の球数に移行させる球数精算操作を実行できる。このとき、遊技機２０は、残っている遊技可能な球数だけカードの持球情報を増やす更新指示を、ワイヤハーネス１０を介して台間機３０に送信する。これにより、遊技者は、遊技終了時に残っている球数をカードに記録させ、当該カードを用いて、持球を景品に交換したり、次回の遊技の際に利用したりできる。
【００４２】
また、遊技機２０は、大当発生を示す情報，抽選開始を示す情報，出球数を示す情報，発射球数（排出球数）を示す情報を含む遊技状況情報を台番と対応付けて遊技店管理装置６０に送信する。
【００４３】
さらに、遊技機２０は、ワイヤハーネス１０から異常通知を受けると、遊技機２０の上方に設置された図示しないランプを点滅させてもよい。もしくは、遊技機２０は、ワイヤハーネス１０から異常通知を受けると、ワイヤハーネス１０に異常があったことを示す異常通知情報を遊技店管理装置６０に送信してもよい。
【００４４】
遊技店管理装置６０は、各遊技機２０から遊技状況情報を受け、店舗内全ての遊技機２０の遊技状況をリアルタイムで遊技台管理データベース７０に記録し、当該遊技状況を監視するものである。なお、遊技店管理装置６０は、遊技機２０から異常通知情報を受けた場合、管理者に対して異常を通知するメッセージを表示してもよい。
【００４５】
＜ワイヤハーネスの構成＞
次に、ワイヤハーネス１０の詳細について説明する。上述したように、ワイヤハーネス１０は、遊技機２０と台間機３０とを通信接続するためのものである。ワイヤハーネス１０により通信される情報の中には、金銭価値情報や持球情報、更新指示などが含まれる。そのため、ワイヤハーネス１０を許可なく細工して、これらの情報や指示を書き換え、金銭価値や持球を不正に得る行為が実施されると、遊技店に損害が発生する。このような不正行為としては、ワイヤハーネス１０に不正治具を挿入して内部のケーブルを引っ張り出し、ケーブル途中に不正用の回路を中継する行為などが考えられる。そこで、本実施形態では、ワイヤハーネス１０がこのような不正行為を検出し、異常通知を発するような構成を有している。その他の不正行為として、ワイヤハーネス１０を一旦切断し、切断箇所に不正用の回路を接続する行為も考えられる。本実施形態では、この不正行為についても検出する。
【００４６】
図４は、本実施形態に係るワイヤハーネスの外観を示す図である。図４に示されるように、ワイヤハーネス１０は、複数本の通信ケーブルの束を有するケーブル部１１と、ケーブル部１１の一方の端に設けられ、遊技機２０のコネクタ（遊技機側コネクタ）と接続する第１コネクタ部１２と、ケーブル部１１の他方の端に設けられ、台間機３０のコネクタ（台間機側コネクタ）と接続する第２コネクタ部１３とを備えている。
【００４７】
ケーブル部１１が備える通信ケーブルは、各種の信号等を遊技機２０と台間機３０との間で通信するためのものである。本実施形態では、ケーブル部１１は、遊技機２０から台間機３０に交流電圧（ＡＣ２４Ｖ）を伝達するための通信ケーブル（電力供給用ケーブル）ＰＳと、遊技機２０から台間機３０に正常に接続されているかを示す信号を伝えるための通信ケーブルＳＮＤと、台間機３０から遊技機２０に球発射回路で使用される電源電圧（１８Ｖ）を伝えるための通信ケーブルＹＧＫとを含む。
【００４８】
図５は、ケーブル部１１の内部を示す図であり、（ａ）は内部層を示す斜視図であり、（ｂ）はケーブル部１１の端面を示す図である。図５に示されるように、ケーブル部１１は、複数本の通信ケーブルの束（以下、ケーブル束）１１０と、当該ケーブル束１１０が内部に通された管状の内周チューブ１１１と、内周チューブ１１１の外周面に形成された第１導電性被覆層１１２と、第１導電性被覆層１１２の上に形成された第１絶縁チューブ１１３と、第１絶縁チューブ１１３の上に形成された第２導電性被覆層１１４と、第２導電性被覆層１１４を覆う外周チューブ１１９とを備えている。すなわち、ケーブル部１１は、ケーブル束１１０を覆う第１導電性被覆層１１２と、第１導電性被覆層１１２を覆う第２導電性被覆層１１４とを備えている。そして、第１絶縁チューブ１１３は、第１導電性被覆層１１２と第２導電性被覆層１１４との間の導通を遮断（絶縁）している。
【００４９】
図４に示されるように、ケーブル部１１の第１コネクタ部１２側の端部では、第１導電性被覆層１１２に接続された引出導線Ｖ１ａと第２導電性被覆層１１４に接続された引出導線Ｖ２ａとが第１コネクタ部１２の内部まで引出されている。同様に、ケーブル部１１の第２コネクタ部１３側の端部では、第１導電性被覆層１１２に接続された引出導線Ｖ１ｂと第２導電性被覆層１１４に接続された引出導線Ｖ２ｂとが第２コネクタ部１３の内部まで引出されている。
【００５０】
第１コネクタ部１２および第２コネクタ部１３は、ケーブル部１１が有する通信ケーブルの本数と同数の端子（または通信ケーブルの本数よりも多い端子）を有しており、各通信ケーブルが異なる端子に接続されている。
【００５１】
図６は、第１コネクタ部１２および第２コネクタ部１３の内部構成を示す図である。図６に示されるように、遊技機側コネクタ（外部機器側コネクタ）２４に接続される第１コネクタ部１２は、第１導電性被覆層１１２に接続された引出導線Ｖ１ａと第２導電性被覆層１１４に接続された引出導線Ｖ２ａとの間に配置された抵抗器１２１（抵抗値：Ｒ）を備えている。
【００５２】
また、台間機側コネクタ（外部機器側コネクタ）３４に接続される第２コネクタ部１３は、電源生成部１３１、電源制御部１３２、検出部１３３、バッテリ制御部１３４、バッテリ１３５、主制御部１３６、異常出力制御部１３７、ＳＮＤ用スイッチ１３８およびＹＧＫ用スイッチ１３９を備えている。
【００５３】
電源生成部１３１は、遊技機２０から台間機３０に向けて交流電圧（ＡＣ２４Ｖ）が流される通信ケーブルＰＳと接続されており、当該交流電圧を直流電圧Ｖｃｃに変換するための回路である。電源生成部１３１は、変換した直流電圧Ｖｃｃを電源制御部１３２に出力する。なお、本明細書において、ある対象物の電圧とは、当該対象物の電位とアース電位（０Ｖ）との電位差をいう。
【００５４】
電源制御部１３２は、検出部１３３および主制御部１３６に供給する電源元を電源生成部１３１およびバッテリ制御部１３４のいずれにするかを制御する回路である。電源制御部１３２は、電源生成部１３１から直流電圧Ｖｃｃが供給されている場合には、電源生成部１３１から受けた直流電圧Ｖｃｃを電源（電力）として検出部１３３、主制御部１３６およびバッテリ制御部１３４に供給する。一方、電源制御部１３２は、電源生成部１３１から直流電圧Ｖｃｃが供給されていない場合には、バッテリ制御部１３４を通じてバッテリ１３５からの直流電圧Ｖｃｃを電源として検出部１３３および主制御部１３６に供給する。
【００５５】
バッテリ制御部１３４は、バッテリ１３５の充電および放電を制御するものである。バッテリ制御部１３４は、電源制御部１３２から直流電圧による電力の供給を受けている場合、当該電力によりバッテリ１３５の充電を行う。一方、バッテリ制御部１３４は、電源制御部１３２から直流電圧の供給を受けていない場合、バッテリ１３５から放電を行い、バッテリ１３５からの直流電圧Ｖｃｃを電源制御部１３２に出力する。
【００５６】
電源生成部１３１、電源制御部１３２およびバッテリ制御部１３４により、営業時間中で遊技機２０の電源がオンにされている場合には、遊技機２０から台間機３０に通信ケーブルＰＳを介して交流電圧による電力が供給される。そのため、電源生成部１３１からの直流電圧Ｖｃｃを検出部１３３および主制御部１３６に供給することができる。このとき、バッテリ制御部１３４によりバッテリ１３５を充電することができる。そして、非営業時間中で遊技機２０の電源がオフにされている場合、営業時間中に充電されたバッテリ１３５による直流電圧Ｖｃｃを検出部１３３および主制御部１３６に供給することができる。これにより、検出部１３３および主制御部１３６は、遊技機２０の電源のオン／オフに関係なく動作することができる。
【００５７】
検出部１３３は、主制御部１３６からの検出開始信号に同期して、ワイヤハーネス１０に対する不正行為（異常）、第１導電性被覆層１１２と第２導電性被覆層１１４との短絡（ショート）による異常を検出するものである。検出部１３３は、第２導電性被覆層１１４からの引出導線Ｖ２ｂに対して電源制御部１３２から受けた直流電圧Ｖｃｃを印加し、第１導電性被覆層１１２からの引出導線Ｖ１ｂの電圧（以下、検出用電圧という）を確認することで不正行為を検知する。上述したように、第１コネクタ部１２にて第１導電性被覆層１１２と第２導電性被覆層１１４とは抵抗器１２１を介して接続されている。そのため、ワイヤハーネス１０に対して不正が行われていない場合、第１導電性被覆層１１２からの引出導線Ｖ１ｂの検出用電圧は、直流電圧Ｖｃｃから抵抗器１２１による電圧降下の分だけ低い電圧を示す。ここで、図７に示されるように、ワイヤハーネス１０に不正な細工を施すためにケーブル部１１に金属製の不正治具が差し込まれる不正行為が考えられる。しかしながら、このような不正行為が実施されると、第２導電性被覆層１１４と第１導電性被覆層１１２とが短絡（ショート）することとなり、第１導電性被覆層１１２からの引出導線Ｖ１ｂの検出用電圧は、第２導電性被覆層１１４と同じ電圧となる。そのため、検出用電圧を確認することで、図７に示されるような不正治具の差込による不正行為を検知することができる。
【００５８】
また、図８に示されるように、ワイヤハーネス１０の途中に不正回路を接続するために、ワイヤハーネス１０を一旦切断する不正行為が考えられる。この場合、第１導電性被覆層１１２と第２導電性被覆層１１４とは絶縁された状態となり、検出用電圧は０Ｖとなる。そのため、本実施形態の検出部１３３は、検出用電圧を確認することで、図８に示されるような切断による不正行為をも検知することができる。
【００５９】
図９は、検出部１３３の内部回路の詳細を示す図である。検出部１３３は、電源制御部１３２から受けた直流電圧Ｖｃｃを第２導電性被覆層１１４からの引出導線Ｖ２ｂに接続するための端子１３３０と、直流電圧Ｖｃｃを２／３Ｖｃｃに分圧して出力する第１抵抗分圧回路１３３１と、直流電圧Ｖｃｃを１／３Ｖｃｃに分圧して出力する第２抵抗分圧回路１３３２と、第１導電性被覆層１１２からの引出導線Ｖ１ｂとアース（グラウンド）との間に配置された抵抗器１３３３（抵抗値：Ｒ）と、第１電圧比較器１３３４と、第２電圧比較器１３３５とを備えている。
【００６０】
抵抗器１３３３は、第１コネクタ部１２に備えられる抵抗器１２１と同じ抵抗値Ｒを有する。そのため、第２導電性被覆層１１４、抵抗器１２１、第１導電性被覆層１１２および抵抗器１３３３は、第２導電性被覆層１１４に印加された直流電圧Ｖｃｃを１／２Ｖｃｃに分圧する分圧抵抗回路を構成することとなる。その結果、第２導電性被覆層１１４、抵抗器１２１、第１導電性被覆層１１２および抵抗器１３３３が正常に接続されている場合、第１導電性被覆層１１２は１／２Ｖｃｃの電圧を有する。
【００６１】
第１電圧比較器１３３４は、非反転入力端子（＋端子）の電圧値と反転入力端子（−端子）の電圧値とを比較し、比較結果に応じたショート信号を出力する。具体的には、第１電圧比較器１３３４は、＋端子の電圧値が−端子の電圧値よりも大きいときにｈｉｇｈのショート信号を出力し、それ以外のときにｌｏｗのショート信号を出力する。図９に示されるように、＋端子には第１導電性被覆層１１２からの引出導線Ｖ１ｂの検出用電圧が入力され、−端子には第１抵抗分圧回路１３３１の出力電圧（２／３Ｖｃｃ）が第１基準電圧として入力される。ワイヤハーネス１０に不正行為が行われていない場合、＋端子には１／２Ｖｃｃが入力されるため、ｌｏｗのショート信号が出力される。また、図８に示されるようにワイヤハーネス１０が切断された場合も、＋端子には０が入力されるため、ｌｏｗのショート信号が出力される。一方、図７に示されるようにワイヤハーネス１０に金属製の不正治具が差し込まれた場合、＋端子にはＶｃｃが入力されるため、ｈｉｇｈのショート信号が出力される。このように、第１電圧比較器１３３４は、図７に示されるような不正治具の差込による不正行為があった場合にのみｈｉｇｈのショート信号を出力する。
【００６２】
第２電圧比較器１３３５も、非反転入力端子（＋端子）の電圧値と反転入力端子（−端子）の電圧値とを比較し、比較結果に応じたオープン信号を出力する。具体的には、第２電圧比較器１３３５は、＋端子の電圧値が−端子の電圧値よりも大きいときにｈｉｇｈのオープン信号を出力し、それ以外のときにｌｏｗのオープン信号を出力する。図９に示されるように、−端子には第１導電性被覆層１１２からの引出導線Ｖ１ｂの検出用電圧が入力され、＋端子には第２抵抗分圧回路１３３２の出力電圧（１／３Ｖｃｃ）が第２基準電圧として入力される。ワイヤハーネス１０に不正行為が行われていない場合、−端子には１／２Ｖｃｃが入力されるため、ｌｏｗのオープン信号が出力される。また、図７に示されるようにワイヤハーネス１０に金属製の不正治具が差し込まれた場合も、−端子にはＶｃｃが入力されるため、ｌｏｗのオープン信号が出力される。一方、図８に示されるようにワイヤハーネス１０が切断された場合、−端子には０が入力されるため、ｈｉｇｈのオープン信号が出力される。このように、第２電圧比較器１３３５は、図８に示されるようなワイヤハーネス１０が切断された不正行為があった場合にｈｉｇｈのオープン信号を出力する。
【００６３】
図６に戻って、ＳＮＤ用スイッチ１３８は、通信ケーブルＳＮＤとコネクタ端子との接続の有無を切り替えるものである。また、ＹＧＫ用スイッチ１３９は、通信ケーブルＹＧＫとコネクタ端子との接続の有無を切り替えるものである。ＳＮＤ用スイッチ１３８およびＹＧＫ用スイッチ１３９は、異常出力制御部１３７からオン信号を受けると、通信ケーブルとコネクタ端子とを接続させ、異常出力制御部１３７からオフ信号を受けると、通信ケーブルとコネクタ端子との接続を遮断する。
【００６４】
異常出力制御部１３７は、第１電圧比較器１３３４と第２電圧比較器１３３５と主制御部１３６とに接続されており、これら３つのいずれかからｈｉｇｈの信号を受けるとワイヤハーネス１０に対する不正行為があったものと判断し、異常通知の出力制御を行う。具体的には、異常出力制御部１３７は、いずれかからｈｉｇｈ信号を受けると、ＳＮＤ用スイッチ１３８およびＹＧＫ用スイッチ１３９に対してオフ信号を出力する。これにより、通信ケーブルＳＮＤおよび通信ケーブルＹＧＫによる通信が遮断される。そのため、台間機３０は、通信ケーブルＹＧＫを通して受信すべき信号が受信できなくなり、ワイヤハーネス１０で異常が発生したことを認識することができる。同様に、遊技機２０は、通信ケーブルＳＮＤを通して受信すべき信号が受信できなくなり、ワイヤハーネス１０で異常が発生したことを認識することができる。
【００６５】
主制御部１３６は、検出部１３３における検出を間欠制御するとともに、遊技機２０や台間機３０の電源がオフとなっている非営業時間におけるワイヤハーネス１０に対する不正行為の有無を示す情報を記録する処理を行うものである。図６に示されるように、主制御部１３６は、検出開始制御部１３６１と、記憶部１３６２と、出力部１３６３と、異常信号処理部１３６４とを備えている。
【００６６】
検出開始制御部１３６１は、予め定められた時間間隔（例えば１分間隔）で検出部１３３に対して検出開始信号を出力するものである。
【００６７】
記憶部１３６２は、過去にワイヤハーネス１０に対する不正行為があったか否かを示す異常フラグを記憶する。ここで、異常フラグが「１」である場合に不正行為があったことを示し、「０」である場合に不正行為がないことを示すものとする。すなわち、異常フラグ「１」は異常があったことを示す異常情報であるといえる。
【００６８】
出力部１３６３は、記憶部１３６２が記憶する異常フラグが「１」である場合にｈｉｇｈ信号を出力し、「０」である場合にｌｏｗ信号を出力するものである。なお、出力部１３６３は、異常信号処理部１３６４からの指示に従って信号出力を行う。
【００６９】
異常信号処理部１３６４は、過去にワイヤハーネス１０に対する不正行為があったか否かを記憶部１３６２に登録し、過去の不正行為の有無に応じて出力部１３６３からの出力信号を制御するものである。
【００７０】
異常信号処理部１３６４は、検出開始制御部１３６１が検出開始信号を出力するタイミングで、記憶部１３６２に格納されている異常フラグを確認する。異常信号処理部１３６４は、異常フラグが「１」である場合にはｈｉｇｈ信号を出力し、異常フラグが「０」である場合にはｌｏｗ信号を出力するように出力部１３６３を制御する。
【００７１】
また、異常信号処理部１３６４は、異常フラグが「０」である場合、異常出力制御部１３７がＳＮＤ用スイッチ１３８をオフにする信号（オフ信号）を出力したか否かを確認する。そして、異常信号処理部１３６４は、オフ信号が確認された場合に異常があったものとして記憶部１３６２に格納されている異常フラグを「１」に変更する。なお、異常信号処理部１３６４は、一旦異常フラグを「１」に変更すると、その後の異常出力制御部１３７からの信号の種別に関わらず、異常フラグを「１」のままで維持する。このように、異常信号処理部１３６４は、異常があったことを示す異常情報である異常フラグ「１」を記憶部１３６２に格納する異常情報格納処理部として機能する。
【００７２】
非営業時間では遊技機２０および台間機３０に電源が供給されていないため、異常出力制御部１３７がＳＮＤ用スイッチ１３８およびＹＧＫ用スイッチ１３９をオフにしたとしても、誰も気付くことができない。そこで、上記のように、異常信号処理部１３６４は、非営業時間でのワイヤハーネス１０に対する不正行為の有無を記憶部１３６２に格納しておく。なお、非営業時間であっても、バッテリ１３５により主制御部１３６には電源が供給されており動作可能である。
【００７３】
また、ワイヤハーネス１０に対して図７や図８に示す不正行為が実行された後に第１導電性被覆層１１２および第２導電性被覆層１１４が元通りに修復されたとしても、一旦異常フラグが「１」に変更されるとそのまま維持されるため、記憶部１３６２は、不正行為があったことを記憶し続けることとなる。これにより、過去の非営業時間において不正行為があった場合、異常フラグが「１」に変更されているため、出力部１３６３はｈｉｇｈ信号を出力することとなる。そのため、異常出力制御部１３７は、常にＳＮＤ用スイッチ１３８をオフにするオフ信号を出力することとなる。よって、台間機３０および遊技機２０は、電源がオンにされた後すぐに、ワイヤハーネス１０で不正行為があったことを認識することができる。
【００７４】
＜検出部の処理フロー＞
次に、検出部１３３における処理の流れについて図１０を参照しながら説明する。
検出部１３３では、電源制御部１３２から受けた直流電圧Ｖｃｃが第２導電性被覆層１１４に印加された状態で、第１導電性被覆層１１２からの引出導線Ｖ１ｂの検出用電圧が、第１電圧比較器１３３４で電圧２／３Ｖｃｃと比較され、第２電圧比較器１３３５で電圧１／３Ｖｃｃと比較される。
【００７５】
ここで、上述したように、検出用電圧は、ワイヤハーネス１０に異常がない場合には１／２Ｖｃｃ、図７に示されるような不正治具の差込があった場合にはＶｃｃ、図８に示されるような切断があった場合には０となる。
【００７６】
検出用電圧が１／２Ｖｃｃである場合（Ｓ１でＹｅｓ）、第１電圧比較器１３３４は、＋端子の電圧（１／２Ｖｃｃ）が−端子の電圧（２／３Ｖｃｃ）よりも小さいため、ｌｏｗのショート信号を出力する。また、第２電圧比較器１３３５も、＋端子の電圧（１／３Ｖｃｃ）が−端子の電圧（１／２Ｖｃｃ）よりも小さいためｌｏｗのオープン信号を出力する（Ｓ２）。
【００７７】
また、検出用電圧がＶｃｃである場合（Ｓ３でＹｅｓ）、第１電圧比較器１３３４は、＋端子の電圧（Ｖｃｃ）が−端子の電圧（２／３Ｖｃｃ）よりも大きいため、ｈｉｇｈのショート信号を出力する。また、第２電圧比較器１３３５は、＋端子の電圧（１／３Ｖｃｃ）が−端子の電圧（Ｖｃｃ）よりも小さいためｌｏｗのオープン信号を出力する（Ｓ４）。
【００７８】
さらに、検出用電圧が０である場合（Ｓ３でＮｏ）、第１電圧比較器１３３４は、＋端子の電圧（０）が−端子の電圧２／３Ｖｃｃよりも小さいため、ｌｏｗのショート信号を出力する。また、第２電圧比較器１３３５は、−端子の電圧（０）が＋端子の電圧１／３Ｖｃｃよりも小さいためｈｉｇｈのオープン信号を出力する（Ｓ５）。
【００７９】
このように、ワイヤハーネス１０に異常がない場合には、ショート信号およびオープン信号のいずれもがｌｏｗとなるが、図７に示されるような不正治具の差込があった場合にはショート信号がｈｉｇｈとなり、図８に示されるように切断があった場合にはオープン信号がｈｉｇｈとなる。これにより、ショート信号およびオープン信号を確認することでワイヤハーネス１０への不正行為の有無を確認できる。
【００８０】
＜異常信号処理部の処理フロー＞
次に、主制御部１３６が備える異常信号処理部１３６４の処理の流れについて図１１を参照しながら説明する。
【００８１】
まず、異常信号処理部１３６４は、検出開始制御部１３６１が検出開始信号を出力したタイミングに同期して、記憶部１３６２から異常フラグを読み出す（Ｓ１１）。そして、異常信号処理部１３６４は、異常フラグに基づいて、ワイヤハーネス１０において不正行為があったか否かを確認する（Ｓ１２）。
【００８２】
不正行為があった場合、つまり、異常フラグが「１」である場合（Ｓ１２でＮｏ）、異常信号処理部１３６４は、ｈｉｇｈ信号を出力するように出力部１３６３を制御する（Ｓ１７）。
【００８３】
一方、不正行為がない場合、つまり、異常フラグ「０」である場合（Ｓ１２でＹｅｓ）、異常信号処理部１３６４は、異常出力制御部１３７から出力される信号を確認する（Ｓ１３）。出力信号がオフ信号である場合（Ｓ１４でＹｅｓ）、異常信号処理部１３６４は、記憶部１３６２に格納されている異常フラグを「１」に書き換える（Ｓ１５）。そして、Ｓ１６の処理に移行して、出力部１３６３からｈｉｇｈ信号を出力させる。また、出力信号がオン信号である場合（Ｓ１４でＮｏ）、異常信号処理部１３６４は、ｌｏｗ信号を出力するように出力部１３６３を制御する（Ｓ１７）。
【００８４】
Ｓ１５の処理により、異常信号処理部１３６４は、図１０においてＳ４またはＳ５の処理に基づいてＳ１４で異常出力制御部１３７がオフ信号を出力したときに異常フラグを「１」に変更する。そして、その後は、Ｓ１２およびＳ１６の処理により、異常信号処理部１３６４は、ｈｉｇｈ信号を出力するように出力部１３６３を制御する。そのため、異常出力制御部１３７は、検出部１３３からのショート信号およびオープン信号に関わらず、オフ信号を出力することとなる。その結果、過去に不正行為があった場合には常にオフ信号が出力されることとなる。
【００８５】
＜異常出力制御部の処理フロー＞
次に、異常出力制御部１３７の処理の流れについて図１２を参照しながら説明する。
まず、異常出力制御部１３７は、検出部１３３からのショート信号およびオープン信号と出力部１３６３からの信号とを取得する（Ｓ２１）。
【００８６】
次に、異常出力制御部１３７は、取得した３つの信号のうち少なくとも１つがｈｉｇｈであるか否かを確認する（Ｓ２２）。少なくとも１つがｈｉｇｈである場合（Ｓ２２でＹｅｓ）、ＳＮＤ用スイッチ１３８およびＹＧＫ用スイッチ１３９をオフにするオフ信号を出力する（Ｓ２３、Ｓ２４）。一方、全てがｌｏｗである場合（Ｓ２２でＮｏ）、ＳＮＤ用スイッチ１３８およびＹＧＫ用スイッチ１３９をオンにするオン信号を出力する（Ｓ２５、Ｓ２６）。
【００８７】
これにより、現在において図７または図８に示す不正が行われている場合および過去に不正行為があった場合に、通信ケーブルＹＧＫおよび通信ケーブルＳＮＤが遮断される。これにより、台間機３０は、通信ケーブルＳＮＤを介して、正常に接続されているかを示す信号を遊技機２０から受信しなくなり、ワイヤハーネス１０における異常を認識することができる。同様に、遊技機２０は、通信ケーブルＹＧＫを介して、球発射回路で使用される電源電圧（１８Ｖ）を台間機３０から受信しなくなり、ワイヤハーネス１０における異常を認識することができる。
【００８８】
＜まとめ＞
以上のように、本実施形態のワイヤハーネス１０は、ケーブル束１１０と、ケーブル束１１０を覆う第１導電性被覆層１１２と、第１導電性被覆層１１２を覆う第２導電性被覆層１１４と、第１導電性被覆層１１２と第２導電性被覆層１１４との間に位置し、第１導電性被覆層１１２と第２導電性被覆層１１４とを絶縁するための第１絶縁チューブ（絶縁層）１１３と、バッテリ１３５と、遊技機２０から電力供給がある場合、当該電力を用いてバッテリ１３５を充電するバッテリ制御部１３４と、遊技機２０から電力供給がある場合には当該電力を用いて、遊技機２０から電力供給がない場合にはバッテリ１３５から供給される電力を用いて、第１導電性被覆層１１２と第２導電性被覆層１１４との短絡を検出する検出部１３３とを備える。
【００８９】
これにより、図７に示されるような金属製の不正治具の差込等による不正行為を検出することができる。また、遊技機２０からの電力供給の有無にかかわらず常に不正行為を監視することができる。さらに、遊技機２０にバッテリを備える必要がなく、遊技機２０の大幅な改造が不要である。
【００９０】
〔実施形態２〕
上記の実施形態１では、第１導電性被覆層１１２と第２導電性被覆層１１４とに接続される抵抗器１２１をワイヤハーネス１０の第１コネクタ部１２の内部に備えるものとした。しかしながら、この抵抗器は、ワイヤハーネスが接続される外部機器（例えば台間機３０）に備えられていてもよい。これにより、ワイヤハーネスが外部機器から外されたことも検出できるようになる。
【００９１】
図１３は、本実施形態に係るワイヤハーネスが備えるケーブル部１１’の構成を示す図である。図１３に示されるように、本実施形態に係るワイヤハーネスのケーブル部１１’は、ケーブル束１１０と、当該ケーブル束１１０が内部に通された管状の内周チューブ１１１と、内周チューブ１１１の外周面に形成された第１導電性被覆層１１２と、第１導電性被覆層１１２の上に形成された第１絶縁チューブ１１３と、第１絶縁チューブ１１３の上に形成された第２導電性被覆層１１４と、第２導電性被覆層１１４の上に形成された第２絶縁チューブ１１５と、第２絶縁チューブの上に形成された第３導電性被覆層１１６と、第３導電性被覆層の上に形成された第３絶縁チューブ１１７と、第３絶縁チューブの上に形成された第４導電性被覆層１１８と、第４導電性被覆層１１８を覆う外周チューブ１１９とを備えている。このように、本実施形態では、ケーブル束１１０の被覆層として、第１から第４導電性被覆層１１２，１１４，１１６，１１８を備えている。
【００９２】
図１４は、本実施形態にかかるワイヤハーネスの内部構成を示す図である。図１４に示されるように、本実施形態に係るワイヤハーネス１０’の第１コネクタ部（ハーネス側コネクタ）１２’において、第１導電性被覆層１１２からの引出導線Ｖ１ａは第４導電性被覆層１１８と接続されている。また、第２導電性被覆層１１４からの引出導線Ｖ２ａは第３導電性被覆層１１６と接続されている。また、第２コネクタ部（ハーネス側コネクタ）１３’では、第３導電性被覆層１１６から引出された引出導線Ｖ３ｂが第１端子１３０ａに接続され、第４導電性被覆層１１８から引出された引出導線Ｖ４ｂが第２端子１３０ｂに接続されている。そして、第２コネクタ部１３’と接続される台間機側コネクタ（外部機器側コネクタ）３４では、第１端子１３０ａおよび第２端子１３０ｂと接続される２つの端子間に直列接続される抵抗器３３（抵抗値：Ｒ）が配置されている。本実施形態の異常検出システム１は、これらの点でのみ実施形態１と相違しており、他の構成については実施形態１と同様である。
【００９３】
図１４に示す構成により、第２コネクタ部１３’を台間機側コネクタ３４に接続した場合、第１導電性被覆層１１２および第４導電性被覆層１１８が、第２導電性被覆層１１４および第３導電性被覆層１１６と抵抗器３３を介して接続されることとなる。実施形態１と同様に、第２導電性被覆層１１４からの引出導線Ｖ２ｂに電源制御部１３２から出力された直流電圧Ｖｃｃが印加され、第１導電性被覆層１１２からの引出導線Ｖ１ｂとアースとの間に抵抗器１３３３が配置される（図９参照）。そのため、実施形態１と同様に、ワイヤハーネス１０’に対して不正が行われない限り、第２導電性被覆層１１４および第３導電性被覆層１１６、抵抗器３３、第１導電性被覆層１１２および第４導電性被覆層１１８、ならびに、抵抗器１３３３は、第２導電性被覆層１１４に印加された直流電圧Ｖｃｃを１／２に分圧する分圧抵抗回路を構成することとなる。その結果、不正行為がなく、ワイヤハーネス１０’が正常に台間機３０および遊技機２０に接続されている場合には、第１導電性被覆層１１２は１／２Ｖｃｃの電圧（検出用電圧）を有する。
【００９４】
本実施形態においても、図７に示されるような金属製の不正治具が差し込まれた場合、第１導電性被覆層１１２と第２導電性被覆層１１４とが、直接または第３導電性被覆層１１６および第４導電性被覆層１１８を介して間接的に短絡（ショート）される。そのため、実施形態１と同様に第１導電性被覆層１１２からの引出導線Ｖ１ｂの電圧（検出用電圧）がＶｃｃとなり、第１電圧比較器１３３４がｈｉｇｈのショート信号を出力し、異常出力制御部１３７は、オフ信号を出力することとなる。そして、記憶部１３６２の異常フラグが「１」に書き換えられる。これにより、台間機３０および遊技機２０は、ワイヤハーネス１０’の異常を認識することができる。
【００９５】
また、本実施形態においても、図８に示されるような切断の不正が行われた場合、第１導電性被覆層１１２と第２導電性被覆層１１４とが絶縁されるため、実施形態１と同様に第１導電性被覆層１１２からの引出導線Ｖ１ｂの電圧（検出用電圧）が０となる。そのため、第２電圧比較器１３３５がｈｉｇｈのオープン信号を出力し、異常出力制御部１３７は、オフ信号を出力することとなる。そして、記憶部１３６２の異常フラグが「１」に書き換えられる。これにより、台間機３０および遊技機２０は、ワイヤハーネス１０’の異常を認識することができる。
【００９６】
さらに、本実施形態では、第２コネクタ部１３’が台間機３０から抜かれた場合も、第１導電性被覆層１１２と第２導電性被覆層１１４とが絶縁されるため、検出用電圧が０となる。そのため、第２電圧比較器１３３５がｈｉｇｈのオープン信号を出力し、異常出力制御部１３７は、オフ信号を出力することとなる。そして、記憶部１３６２の異常フラグが「１」に書き換えられる。例えば、非営業時間において第２コネクタ部１３’が台間機３０から抜かれ、ワイヤハーネス１０’に対して不正行為が実施され、その後に第２コネクタ部１３’が台間機側コネクタ３４に差し込まれたとしても、異常フラグが「１」に書き換えられる。これにより、台間機３０および遊技機２０は、非営業時間において台間機３０からワイヤハーネス１０’が不正に抜かれていた異常を認識することができる。
【００９７】
以上のように、本実施形態２の異常検出システムでは、ワイヤハーネス１０’は、通信ケーブルを覆う被覆層として、第１導電性被覆層１１２および第２導電性被覆層１１４と絶縁された第３導電性被覆層１１６と、第１導電性被覆層１１２、第２導電性被覆層１１４および第３導電性被覆層１１６と絶縁された第４導電性被覆層１１８とを備える。さらに、ワイヤハーネス１０’は、通信ケーブルの一方の端において、第３導電性被覆層１１６に接続された第１端子１３０ａおよび第４導電性被覆層１１８に接続された第２端子１３０ｂを含み、台間機３０と接続する第２コネクタ部１３’と、通信ケーブルの他方の端において、第１導電性被覆層１１２と第４導電性被覆層１１８とを導通させる引出導線Ｖ１ａ、および、第２導電性被覆層１１４と第３導電性被覆層１１６とを導通させる引出導線Ｖ２ｂとを備える。さらに、台間機３０は、第２コネクタ部１３’と接続されたときに、第１端子１３０ａと第２端子１３０ｂとの間に直列接続されるように配置された抵抗器３３を含む台間機側コネクタ３４を備える。
【００９８】
そして、実施形態１と同様に、第２コネクタ部１３’に備えられた検出部１３３は、第２導電性被覆層１１４に直流電圧Ｖｃｃを印加し、第１導電性被覆層１１２の電圧である検出用電圧に基づいて、第１導電性被覆層１１２と第２導電性被覆層１１４との短絡を検出する。さらに、検出部１３３は、検出用電圧に基づいて、第１から第４導電性被覆層１１２，１１４，１１６，１１８のうちの少なくとも１つにおける切断、および、台間機側コネクタ３４から第２コネクタ部１３’の抜けを検出する。
【００９９】
これにより、図７に示すような金属製の不正治具をワイヤハーネスに差し込む不正行為、図８に示すような通信ケーブルを覆う第１から第４導電性被覆層のうちの少なくとも１つを切断する不正行為、および、台間機側コネクタ３４から第２コネクタ部１３’を抜く不正行為の何れかを容易に検出することができる。また、台間機側コネクタ３４に抵抗器３３を備えるだけでよく、台間機３０の大幅な改造が不要である。
【０１００】
〔その他の形態〕
上記の実施形態１，２では、第２導電性被覆層１１４に直流電圧Ｖｃｃを印加し、第１導電性被覆層１１２からの引出導線Ｖ１ｂを第１電圧比較器１３３４および第２電圧比較器１３３５に接続するものとした。しかしながら、第１導電性被覆層１１２に直流電圧Ｖｃｃを印加し、第２導電性被覆層１１４からの引出導線Ｖ２ｂの電圧を検出用電圧として第１電圧比較器１３３４および第２電圧比較器１３３５に入力してもよい。
【０１０１】
また、電源生成部１３１は、遊技機２０から供給される交流電圧を用いて直流電圧Ｖｃｃを生成するものとしたが、台間機３０から供給される交流電圧を用いて直流電圧Ｖｃｃを生成してもよい。また、電源生成部１３１は、遊技機２０または台間機３０から供給される直流電圧を用いて直流電圧Ｖｃｃを出力してもよい。
【０１０２】
また、上記の説明では、第１電圧比較器１３３４の−端子に入力される第１基準電圧を２／３Ｖｃｃとした。しかしながら、第１基準電圧としては、２／３Ｖｃｃに限定されるものではなく、第２導電性被覆層１１４に印加される直流電圧Ｖｃｃと、当該直流電圧Ｖｃｃから抵抗器１２１の電圧降下分だけ低い電圧１／２Ｖｃｃとの間の電圧が設定されていればよい。これにより、第１電圧比較器１３３４は、第１導電性被覆層１１２と第２導電性被覆層１１４とが短絡している場合にｈｉｇｈのショート信号を出力し、それ以外の場合にｌｏｗのショート信号を出力することができる。
【０１０３】
同様に、第２電圧比較器１３３５の＋端子に入力される第２基準電圧を１／３Ｖｃｃとした。しかしながら、第２基準電圧としては、１／３Ｖｃｃに限定されるものではなく、第２導電性被覆層１１４に印加される直流電圧Ｖｃｃから抵抗器１２１の電圧降下分だけ低い電圧１／２Ｖｃｃよりも低い電圧が設定されていればよい。これにより、第２電圧比較器１３３５は、第１導電性被覆層１１２および第２導電性被覆層１１４の少なくとも一方が途中で切断している場合にｈｉｇｈのオープン信号を出力し、それ以外の場合にｌｏｗのオープン信号を出力することができる。
【０１０４】
また、上記の説明では、ワイヤハーネス１０、１０’が接続される外部機器が台間機３０および遊技機２０であるとした。しかしながら、ワイヤハーネス１０、１０’は、遊技機２０が備える２つの回路基板間を接続するものであってもよい。さらに、ワイヤハーネス１０、１０’が接続される外部機器は、これに限らず、情報通信を行う各種の電子機器であってもよい。
【０１０５】
また、上記の説明では、第１導電性被覆層１１２および第２導電性被覆層１１４が切断される不正行為として、図８に示されるようにワイヤハーネス１０の全体を切断する例を挙げた。しかしながら、第１導電性被覆層１１２および第２導電性被覆層１１４が切断される不正行為としては、図１５に示されるように、第１導電性被覆層１１２および第２導電性被覆層１１４のみを切断し、その切断箇所から内部の通信ケーブルを引っ張り出して不正を行う場合もある。図１５に示す場合でも、第１導電性被覆層１１２の電圧が０となり、第２電圧比較器１３３５は、ｈｉｇｈのオープン信号を出力する。そのため、図１５に示す不正行為も検出することができる。
【０１０６】
また、実施形態２において、第３導電性被覆層１１６および第４導電性被覆層１１８は、第２導電性被覆層１１４の外側に配置されるものとした。しかしながら、第３導電性被覆層１１６および第４導電性被覆層１１８の位置は、第１導電性被覆層１１２の内側であってもよいし、第１導電性被覆層１１２と第２導電性被覆層１１４との間であってもよい。ただし、第３導電性被覆層１１６は、他の導電性被覆層１１２，１１４，１１８と絶縁チューブ１１３，１１５，１１７などによって絶縁されており、第４導電性被覆層１１８は、他の導電性被覆層１１２，１１４，１１６と絶縁チューブ１１３，１１５，１１７などによって絶縁されていればよい。
【０１０７】
なお、一般に、遊技機２０よりも台間機３０の方が改造を行いやすい。そのため、実施形態２では、第３導電性被覆層１１６および第４導電性被覆層１１８を設け、台間機側コネクタ３４が抵抗器３３を備えるものとした。しかしながら、遊技機２０の改造が可能であれば、遊技機側コネクタ２４が抵抗器を備え、当該抵抗器が遊技機側コネクタ２４の２つの端子間に直列接続されるように配置されていてもよい。この場合、図１４において、ケーブル部１１’は、第３導電性被覆層１１６および第４導電性被覆層１１８を備えておらず、台間機側コネクタ３４が抵抗器３３を備えていない。そして、第１コネクタ部１２’は、遊技機側コネクタ２４の抵抗器に直列接続された当該２つの端子に接続される端子の一方に引出導線Ｖ１ａが接続され、他方に引出導線Ｖ２ａが接続される。これにより、実施形態２と同様に、第１コネクタ部１２’が遊技機側コネクタ２４から抜かれた場合、第１導電性被覆層１１２と第２導電性被覆層１１４とが導通されず、第２電圧比較器１３３５がｈｉｇｈのオープン信号を出力する。その結果、遊技機側コネクタ２４から第１コネクタ部１２’の抜けを検出することができる。ただし、この場合、台間機側コネクタ３４から第２コネクタ部１３’の抜けを検出するができない。
【０１０８】
このように、実施形態２の変形例では、通信ケーブルの一方の端に設けられた第１コネクタ部１２’は、第１導電性被覆層１１２に接続された端子および第２導電性被覆層１１４に接続された端子を含み、遊技機側コネクタ２４と接続される。一方、遊技機側コネクタ２４は、第１コネクタ部１２’と接続されたときに、第１導電性被覆層１１２に接続された端子および第２導電性被覆層１１４に接続された端子の間に直列接続されるように配置された抵抗器を含む。そして、第２コネクタ部１３’に設けられた検出部１３３は、第２導電性被覆層１１４に直流電圧Ｖｃｃを印加し、第１導電性被覆層１１２の電圧である検出用電圧に基づいて、第１導電性被覆層１１２と第２導電性被覆層１１４との短絡による異常を検出するとともに、第１導電性被覆層１１２および第２導電性被覆層１１４の少なくとも１つの切断による異常、および、遊技機側コネクタ２４から第１コネクタ部１２’の抜けによる異常を検出することができる。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１０】
なお、上記した各実施形態における検出部１３３、主制御部１３６および異常出力制御部１３７は、ＣＰＵ（Central Processing Unit）などの演算手段が、ＲＯＭ（Read Only Memory）やＲＡＭ（Random Access Memory）などの記憶手段に記憶されたプログラムを実行することにより実現してもよい。したがって、これらの手段を有するコンピュータが、上記プログラムを記録した記録媒体を読み取り、当該プログラムを実行するだけで、本実施形態のワイヤハーネス１０，１０’の不正行為の検出機能を実現することができる。また、上記プログラムをリムーバブルな記録媒体に記録することにより、任意のコンピュータ上で上記の各種機能および各種処理を実現することができる。
【０１１１】
この記録媒体としては、マイクロコンピュータで処理を行うために図示しないメモリ、例えばＲＯＭのようなものがプログラムメディアであっても良いし、また、図示していないが外部記憶装置としてプログラム読み取り装置が設けられ、そこに記録媒体を挿入することにより読み取り可能なプログラムメディアであっても良い。
【０１１２】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１１３】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１１４】
また、インターネットを含む通信ネットワークを接続可能なシステム構成であれば、通信ネットワークからプログラムをダウンロードするように流動的にプログラムを担持する記録媒体であることが好ましい。
【０１１５】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１１６】
本発明は、パチンコ遊技機や台間機などの電子機器に接続されるワイヤハーネスに適用することができる。
【符号の説明】
【０１１７】
１  異常検出システム
１０，１０’  ワイヤハーネス
１１，１１’  ケーブル部
１２，１２’  第１コネクタ部（ハーネス側コネクタ）
１３，１３’  第２コネクタ部（ハーネス側コネクタ）
２０  遊技機（外部機器）
２４  遊技機側コネクタ（外部機器側コネクタ）
３０  台間機（外部機器）
３３  抵抗器
３４  台間機側コネクタ（外部機器側コネクタ）
１１０  ケーブル束（通信ケーブルの束）
１１２  第１導電性被覆層
１１３  第１絶縁チューブ（絶縁層）
１１４  第２導電性被覆層
１１５  第２絶縁チューブ
１１６  第３導電性被覆層
１１７  第３絶縁チューブ
１１８  第４導電性被覆層
１２１  抵抗器
１３０ａ  第１端子
１３０ｂ  第２端子
１３１  電源生成部
１３２  電源制御部
１３３  検出部
１３４  バッテリ制御部
１３５  バッテリ
１３６  主制御部
１３６１  検出開始制御部
１３６２  記憶部
１３６３  出力部
１３６４  異常信号処理部（異常情報格納処理部）
１３７  異常出力制御部
Ｖ１ａ，Ｖ１ｂ、Ｖ２ａ，Ｖ２ｂ，Ｖ３ｂ，Ｖ４ｂ  引出導線
ＰＳ  通信ケーブル（電力供給用ケーブル）
ＳＤＮ、ＹＧＫ  通信ケーブル
【図１】
0005891923.tif 000002
【図２】
0005891923.tif 000003
【図３】
0005891923.tif 000004
【図４】
0005891923.tif 000005
【図５】
0005891923.tif 000006
【図６】
0005891923.tif 000007
【図７】
0005891923.tif 000008
【図８】
0005891923.tif 000009
【図９】
0005891923.tif 000010
【図１０】
0005891923.tif 000011
【図１１】
0005891923.tif 000012
【図１２】
0005891923.tif 000013
【図１３】
0005891923.tif 000014
【図１４】
0005891923.tif 000015
【図１５】
0005891923.tif 000016